(57)【特許請求の範囲】
【請求項１】
磁石部材を封入するための樹脂カプセルにおいて、当該樹脂カプセルは射出成形が可能な熱可塑性合成樹脂によって製せられ、二つの磁石部材をそれぞれ独立して密嵌し得る二つの凹陥部を形成した本体部と、この本体部の左右両端に連設した連結用の通孔を具備してなる連結部とを有しており、当該左右の連結部には互いに相反する面に直角状をなすように欠損部を形成してあることを特徴とする磁石部材用の樹脂カプセル。
【請求項２】
請求項１に記載の樹脂カプセルにおける本体部の二つの凹陥部内に二つの磁石部材をＮ極とＳ極が互いに異なる位置となるようにしてそれぞれ密嵌した後、当該凹陥部の上面に熱可塑性合成樹脂製の蓋部材を被着して本体部との接合部を熱融着したことを特徴とする磁石部材を封入した樹脂カプセル。
【請求項３】
請求項２に記載の磁石部材を封入した樹脂カプセルの多数個を並列させ、連結部に形成してある通孔内に紐あるいはワイヤを通して連結して偏平状の集束体となし、これを衣服類・装身具類の内側に取り付けてなることを特徴とする磁力線を生ずる衣服・装身具。
【発明の詳細な説明】
【技術分野】
【０００１】
本発明は磁石部材を封入するための樹脂カプセル及び磁石部材を封入した樹脂カプセル並びに磁石部材を封入した樹脂カプセルの多数個を連結して偏平状の集束体となしたものをベストや腹巻きなどの衣服類またはバンド・ベルトなどの装身具類の内側に取り付けて構成した磁力線を生ずる衣服・装身具に関する。
【背景技術】
【０００２】
金属製のカプセル容器内に磁石を封入し、両端開口部に蓋部を溶接して、蓋部に設けてある環状部を利用して多数個を連結した磁気ネックレスが後述の特許文献１に開示されている。また、金属製の収納カプセル内に円柱状磁石を収納し、両端に設けてある取付部材を介して多数連結し、これを衣服類の内側に取り付けた磁気ベストが特許文献２に開示されている。
【先行技術文献】
【特許文献】
【０００３】
【特許文献１】特開２００１−１７８５１２号公報
【特許文献２】特開２００３−２３５６２０号公報
【発明の概要】
【発明が解決しようとする課題】
【０００４】
上記特許文献１に開示されたカプセル容器は、チタンパイプと、溶接によってチタンパイプの両端にそれぞれ取り付けられた２つのチタン製の蓋部と、チタンパイプの内側に挿入され、２つの蓋部によって密封された、外部に対して物理的影響を与える物体（磁石）とを具備している。チタンは酸化物が非常に安定で侵され難く、空気中では不動態となるため、白金や金とほぼ同等の強い耐食性を有すると共に、常温では酸や食塩水などに対し高い耐食性を示すという利点を有する。しかしながら、高温域ではさまざまな元素と反応しやすくなるため、鋳造や溶接には酸素・窒素を遮断するための大掛かりな設備を必要とするという問題点がある。
【０００５】
また、特許文献２に開示された磁石収納カプセルは金属製であり、磁石を収納した金属製カプセルの多数個をワイヤで連結して構成した磁石集束体を衣服の内側またはベルトなど装身具の内側に取り付けた場合は可成りの重量となるので、着用したままでの日常生活に支障を来たすという問題点がある。
【０００６】
そこで、本発明は前記した従来の磁石収納カプセルに伴う各種問題点を解消し、磁石を収納封入するカプセルを成形の容易な熱可塑性合成樹脂製にして軽量化を図ると共に、樹脂カプセル内に２つの磁石部材をそれぞれ独立した状態で且つ磁極を異なるようにして封入し、従来より強力且つ複雑な磁気を発生させるようにした樹脂カプセル及び磁石部材を封入した樹脂カプセル並びに磁力線を生ずる衣服・装身具を提供することを目的とするものである。
【課題を解決するための手段】
【０００７】
上記課題を解決するための本発明の構成を詳述すれば、請求項１に係る発明は磁石部材を封入するための樹脂カプセルにおいて、当該樹脂カプセルは射出成形が可能な熱可塑性合成樹脂によって製せられ、二つの磁石部材をそれぞれ独立して密嵌し得る二つの凹陥部を形成した本体部と、この本体部の左右両端に連設した連結用の通孔を具備してなる連結部とを有しており、当該左右の連結部には互いに相反する面に直角状をなすように欠損部を形成してあることを特徴とする磁石部材用の樹脂カプセルである。
【０００８】
また、請求項２に係る発明は、請求項１に記載の樹脂カプセルにおける本体部の二つの凹陥部内に二つの磁石部材をＮ極とＳ極が互いに異なる位置となるようにしてそれぞれ密嵌した後、当該凹陥部の上面に熱可塑性合成樹脂製の蓋部材を被着して本体部との接合部を熱融着したことを特徴とする磁石部材を封入した樹脂カプセルである。
【０００９】
さらに、請求項３に係る発明は、請求項２に記載の磁石部材を封入した樹脂カプセルの多数個を並列させ、連結部に形成してある通孔内に紐あるいはワイヤを通して連結して偏平状の集束体となし、これを衣服類・装身具類の内側に取り付けてなることを特徴とする磁力線を生ずる衣服・装身具である。
【発明の効果】
【００１０】
本発明に係る磁石部材を封入するためのカプセルは射出成形が可能な熱可塑性合成樹脂であれば何れも適用可能であるが、中でもＡＢＳ（アクリルニトリル・ブタジエン・スチレン三元共重合体）樹脂が好適に用いられるものであり、従来の金属製のものより比重の関係で当然軽量となる。従って、磁石部材を封入した当該カプセルの複数個を連結し集束体となしたものを、ベストやバンド・ベルト類の内側に取付けたとしても従来型磁気ベストやバンド・ベルトなどの装身具に較べ格段に軽量となり、着用したままで通常の活動を行うことが可能となる。
【００１１】
また、樹脂カプセルの本体部には、二つの磁石部材をそれぞれ独立して密嵌し得る二つの凹陥部を形成してあり、当該二つの凹陥部内に二つの磁石部材をＮ極とＳ極が互いに異なる位置となるようにして封入することにより、隣接する磁石部材の異極に向けても磁力が生ずるので磁気効果をこれまで以上に高めることができる。
【００１２】
さらに、本発明に係る樹脂カプセルにおける本体部の左右両端に連設した連結部は互いに相反する面に直角状をなすように欠損部を形成してあるので、従来型磁石カプセルと異なり高密度に集束させることが可能となり、これを衣服類や装身具類の内側に取り付けた場合にはこれまで以上に大きな磁気効果を得ることができる。
【００１３】
なお、本体部の左右両端に連設した連結部は互いに相反する面に直角状をなすように欠損部を形成してあることなどにより、樹脂カプセルの多数個を並列させるときにもこれに対応した治具を用いることにより、簡単に同一方向に向けて整列させることが可能となり、製造面においても多大な効果を奏するものである。
【図面の簡単な説明】
【００１４】
【図１】本発明に係る磁石部材を封入した樹脂カプセルの一実施形態を示す斜視図である。
【図２】本発明に係る樹脂カプセルの内部構造を示す断面図である。
【図３】磁石部材を封入した樹脂カプセルの多数個を一列に連結したときの実施形態を示す平面図である。
【図４】磁石部材を封入した樹脂カプセルの多数個を三列に集束させたときの実施形態を示す平面図である。
【図５】連結させた磁石部材入りの樹脂カプセルの集束体を衣服の内側に取り付けた状態を示す展開図である。
【図６】磁石部材入りの樹脂カプセルの集束体をベルトの内側に取り付けた状態を示す部分展開図である。
【図７】磁石部材入り樹脂カプセル単体を平置きにしたときの磁力線のイメージ図である。
【図８】磁石部材入り樹脂カプセル単体を図７の状態から９０°位置を変えたときの磁力線のイメージ図である。
【図９】磁石部材入り樹脂カプセルの集束体を平置きにしたときの磁力線のイメージ図である。
【発明を実施するための形態】
【００１５】
以下、本発明に係る樹脂カプセル及び磁石部材を封入した樹脂カプセル並びに磁力線を生ずる衣服・装身具類の具体的構成を図示の実施形態について詳細に説明する。
【００１６】
図中１は磁石部材２を封入するための樹脂カプセルを示す。当該樹脂カプセル１は射出成形が可能な熱可塑性合成樹脂、特に耐熱性、耐衝撃性、耐薬品性などに優れた特性を発現するＡＢＳ樹脂が好適に用いられる。
【００１７】
樹脂カプセル１は、図２に示すように、二つの磁石部材２，２をそれぞれ独立して密嵌し得る二つの凹陥部３，３を形成した本体部４、およびこの本体部４の左右両端に連設した連結部５，６を有しており、当該左右の連結部５，６には本体部４の軸線方向と直交する方向に連結用の通孔７，７を形成してある。
【００１８】
図示の実施形態では小型の磁石部材２，２が本体部４の中心部付近に封入されるように断面楕円形状をなす本体部４の外面一側を切り欠いて平坦面１０を形成し、当該平坦面１０に凹陥部３，３の上面開口が臨むような位置関係で凹陥部３，３が凹設されている。
【００１９】
前記した左右の連結部５，６には互いに相反する面に直角状をなすように欠損部８，９を形成してある。なお、左右の連結部５，６はその長手方向長さが同一とはなっておらず、図示の実施形態では連結部５の方が連結部６より短くなっている。さらに、左右の連結部５，６の幅方向長さも同一とはなっておらず、図示の実施形態では連結部５の幅方向長さの方が連結部６の幅方向長さより長くなっている。このように、連結部５，６の長手方向長さ及び幅方向長さをそれぞれ変えた理由については後述する。
【００２０】
樹脂カプセル１の前記した二つの凹陥部３，３の寸法は小型の磁石部材２，２が密に嵌入できる程度の大きさとなっており、二つの磁石部材２，２をＮ極とＳ極が互いに相反する位置となるように、すなわち一方の凹陥部３内には上部がＮ極となるように磁石部材２を圧入すると共に、他方の凹陥部３内には上部がＳ極となるようにして磁石部材２を圧入する。このように、隣接する磁石部材２，２の極性を逆にすることによって、隣接する磁石部材２，２の異極に向けても磁力線が生ずることとなり、磁気効果をこれまで以上に高めることができるものである。
【００２１】
なお、樹脂カプセル１の凹陥部３，３内に小型の磁石部材２，２を密嵌した後、当該凹陥部３，３の上面、すなわち平坦面１０には、図２に示すように蓋部材１１を被着して本体部４との接合部を高周波溶着などで熱融着する。蓋部材１１を取り付けることにより、磁石部材２，２は凹陥部３，３内に封入され外部からはその所在が視認できないようになる。
【００２２】
二つの磁石部材２，２を磁極が互いに異なる位置となるように封入した樹脂カプセル１から生ずる磁力線１６は図７および図８に示すように複雑な形態を形成し、大きく湾曲した部分が皮膚深部に作用して血行を促進する磁気治療効果を生ずる。また、多数の磁石部材入り樹脂カプセル１，１，１・・・を集束させた場合の磁力線１７は、図９に示すように非常に緻密な磁束密度となってより大きな磁気治療効果を得ることができる。
【００２３】
二つの磁石部材２，２を封入した樹脂カプセル１の向きを図３に示すように揃え通孔７，７内に適宜材料からなる紐あるいはワイヤを挿通して所望の長さとなったところで特に図示しない適宜構造のストッパー部材により抜け止めを図る。図３に示す実施形態は２本の紐あるいはワイヤ１２，１２を介して一列状に多数個の磁石部材入り樹脂カプセル１，１，１・・・を集束させたものであるが、図４に示すように３本以上の紐あるいはワイヤを用いることにより、隙間なく高密度に二列、あるいは三列以上に磁石部材入り樹脂カプセル１，１，１・・・を集束させることが可能となる。
【００２４】
このような磁石部材入り樹脂カプセル１，１，１・・・の集束体１３は、各樹脂カプセル１の連結部５，６に設けてある通孔７，７を利用することにより、縫着など公知の手法でベストや、厚手の下着、上着あるいは腹巻きなどの各種衣服類１４の内側に取り付けることができる（図５）。
従来型の金属カプセルと異なり、本発明に係るカプセルは樹脂製であるから軽く、高密度に多数の磁石部材入リカプセルを集束させたとしても日常生活に支障を来たすような負荷にはならない。
【００２５】
また、図６に示すようにベルト本体１５の内側に磁石部材入り樹脂カプセル１，１，１・・・の集束体１３を縫着などで固定、あるいは適宜の係合部材を用いて着脱自在に装着して、磁気を生ずる装身具とすることもできる。
【００２６】
この場合、集束体１３には高密度に磁石部材入り樹脂カプセル１，１，１・・・が配設されると共に、各樹脂カプセル１の本体部４に設けた二つの凹陥部３，３内に磁極を異にして封入された二つの磁石部材２，２による複雑な磁気作用を着用者の腰部付近に及ぼすことができる。
【００２７】
なお、実際の磁石部材入り樹脂カプセルは長手方向長さが約２０ｍｍ、幅方向長さが最大径部分で約７.４ｍｍ程度のきわめて小さいカプセルであり、これを多数同一方向に揃えて連結部５，６の通孔７，７内に紐あるいはフイヤ１２を通すのは非常に手間の掛かる作業となる。
【００２８】
そこで、本発明では、樹脂カプセル１における左右の連結部５，６の形状をそれぞれ異なるように形成してある。すなわち、左右の連結部５，６には互いに相反する面に直角状をなすように欠損部８，９を形成してあると共に、連結部５の長手方向長さを連結部６の長手方向長さより短くしてある。また、連結部５の幅方向長さを連結部６の幅方向長さより長くしてある。このように、左右非対称となるように構成したことにより、一定形状以外のものの挿着を阻止する図示しない整列用の専用治具を用いることにより、簡単に多数の磁石部材入り樹脂カプセル１，１，１・・・を整列させることが可能となり、製造効率をこれまで以上に向上させることができる。
【００２９】
このように、本発明に係る樹脂カプセル及び磁石部材を封入した樹脂カプセル並びに磁力線を生ずる衣服・装身具類によれば、軽量化が可能であると共に、樹脂カプセル内に２つの磁石部材をそれぞれ独立した状態で且つ磁極を異なるようにして封入してあるので従来より良好な磁気磁力効果を得ることができる。また、左右非対称としたことにより、製造過程における効率化を実現することができる。
【符号の説明】
【００３０】
１：樹脂カプセル
２：磁石部材
３：凹陥部
４：本体部
５：連結部
６：連結部
７：通孔
８：欠損部
９：欠損部
１０：平坦面
１１：蓋部材
１２：紐あるいはワイヤ
１３：集束体
１４：衣服類
１５：ベルト本体
１６：磁力線
１７：磁力線
【要約】
【課題】磁石を収納封入するカプセルを成形の容易な樹脂製にして、軽量化を図り、日常生活に支障を来たすことのない磁気衣料を提供すると共に、製造過程の効率化を実現し得る樹脂カプセル及びマグネチックキューブを封入した樹脂カプセルを提供する。
【解決手段】マグネチックキューブを封入するための樹脂カプセルにおいて、樹脂カプセル１は射出成形が可能な熱可塑性合成樹脂によって製せられ、二つのマグネチックキューブ２，２をそれぞれ独立して密嵌し得る二つの凹陥部３，３を形成した本体部４と、この本体部４の左右両端に連設した連結用の通孔７，７を具備してなる連結部５，６とを有しており、当該左右の連結部５，６には互いに相反する面に直角状をなすように欠損部８，９を形成した。前記二つの凹陥部３，３内に互いに磁極が異なるようにしてマグネチックキューブ２，２を封入してマグネチックキューブ入りの樹脂カプセル１を得た。
【選択図】図２【図１】
0005492284.tif 000002
【図２】
0005492284.tif 000003
【図３】
0005492284.tif 000004
【図４】
0005492284.tif 000005
【図５】
0005492284.tif 000006
【図６】
0005492284.tif 000007
【図７】
0005492284.tif 000008
【図８】
0005492284.tif 000009
【図９】
0005492284.tif 000010